(57)【要約】【課題】  裏紙印刷時のローラー巻付きＪＡＭの防止。【解決手段】  画像検知手段にて裏紙の印刷済み面の先端余白を検知し、搬送路中に設けた回転手段により、先端余白が最も大きい一辺を先頭にして画像形成部へ給紙する。  または画像検知手段にて検出した印刷済み面の先端余白が所定の量より小さい場合は、操作部上のディスプレーに警告を表示する。または、給紙を禁止する。【選択図】  図１
2008158129.tif 000002
【特許請求の範囲】
【請求項１】
ユーザーからの入力情報により画像を形成する画像形成手段と，片面画像形成された印刷済みの転写材を前記画像形成手段に給紙する給紙手段と、前記印刷済みの転写材の片面画像を検知する手段を有し、
前記検知した画像に応じて、転写材を回転させた後に画像形成処理を施す手段を有することを特徴とする画像形成装置。
【請求項２】
ユーザーからの入力情報により画像を形成する画像形成手段と，片面画像形成された印刷済みの転写材を前記画像形成手段に給紙する給紙手段と、前記印刷済みの転写材の片面画像の余白量を検知する手段を有し、
前記検知した余白量に応じて、転写材を回転させた後に画像形成処理を施す手段を有することを特徴とする画像形成装置。
【請求項３】
ユーザーからの入力情報により画像を形成する画像形成手段と，片面画像形成された印刷済みの転写材を前記画像形成手段に給紙する給紙手段と、前記印刷済みの転写材の片面画像を検知する手段を有し、
前記検知した画像に応じて、画像形成を禁止する手段を有することを特徴とする画像形成装置。
【請求項４】
ユーザーからの入力情報により画像を形成する画像形成手段と，片面画像形成された印刷済みの転写材を前記画像形成手段に給紙する給紙手段と、前記印刷済みの転写材の片面画像を検知する手段を有し、
前記検知した画像に応じて、画像形成処理を施す前にユーザーに警告を出す手段を有することを特徴とする画像形成装置。
【発明の詳細な説明】
【技術分野】
【０００１】
本発明は複写機、プリンタ等の画像形成装置に係り、特に裏面がコピー済みの裏紙（再利用紙）を検知する機能を有する画像形成装置に関する。
【背景技術】
【０００２】
複写機、プリンタなどの装置では記録紙にハードコピーを形成するため、ハードコピーを作成するための用紙が必ず必要となる。ところで、用紙は両面コピーを除いて一方の面にしか画像形成やプリントを行わないのが一般的である。
【０００３】
一方、近年、省資源，自然保護の立場から、木材を原料とするパルプからなる用紙の節約が叫ばれている。かかる用紙節約の一手段として、表面のみコピーして不要となった記録済みの用紙（以下、裏紙と記す）の裏面にコピーをするのは有用な手段である。
【０００４】
従来例としては、例えば特許文献１と特許文献２をあげることが出来る。
【特許文献１】特開2005-141046号公報
【特許文献２】特開2005-173486号公報
【発明の開示】
【発明が解決しようとする課題】
【０００５】
しかしながら裏紙を用いて印刷する場合、定着器を通過する際に、裏紙の印刷済み面のトナーが再溶融して、加圧ローラーに巻き付いてJAMが発生する可能性がある。一般に未定着トナーを有する側の転写材面に対向位置する定着ローラに対しては、トナーがローラに移る所謂オフセットを防止するために、離型性に優れた材料が用いられたり、ローラ表面に離型剤を塗布することが行われているが、定着ローラと対をなす加圧ローラに対しては、コスト的あるいはスペース的な理由から定着ローラと等しい構成がとられていないことが多い。
【０００６】
また裏紙が加圧ローラーに巻き付く現象は、裏紙の印刷済み面の先端余白が小さい場合の方が加圧ローラからの分離性が劣るので、顕著に発生する。
【０００７】
本発明は、以上のような実情に鑑み、裏紙を用いて画像形成を行う場合において、加圧ローラに裏紙が巻き付く問題が生じることのない画像形成装置を提供することを課題にするものである。
【課題を解決するための手段】
【０００８】
本出願に係る第一の発明によれば、上記目的は、
ユーザーからの入力情報により画像を形成する画像形成手段と，片面画像形成された印刷済みの転写材を前記画像形成手段に給紙する給紙手段と、前記印刷済みの転写材の片面画像を検知する手段を有し、前記検知した画像に応じて、転写材を回転させた後に画像形成処理を施すことにより達成される。
【０００９】
また、本出願に係る第二の発明によれば、上記目的は
ユーザーからの入力情報により画像を形成する画像形成手段と，片面画像形成された印刷済みの転写材を前記画像形成手段に給紙する給紙手段と、前記印刷済みの転写材の片面画像の余白量を検知する手段を有し、前記検知した余白量に応じて、転写材を回転させた後に画像形成処理を施すことにより達成される。
【００１０】
また、本出願に係る第三の発明によれば、上記目的は
ユーザーからの入力情報により画像を形成する画像形成手段と，片面画像形成された印刷済みの転写材を前記画像形成手段に給紙する給紙手段と、前記印刷済みの転写材の片面画像を検知する手段を有し、
前記検知した余白量が所定の量以下だった場合、画像形成を禁止することにより達成される。
【００１１】
また、本出願に係る第四の発明によれば、上記目的は
ユーザーからの入力情報により画像を形成する画像形成手段と，片面画像形成された印刷済みの転写材を前記画像形成手段に給紙する給紙手段と、前記印刷済みの転写材の片面画像を検知する手段を有し、
前記検知した余白量が所定の量以下だった場合、画像形成処理を施す前に警告を出すことにより達成される。
【発明の効果】
【００１２】
以上説明したように、本出願に係わる第一の発明によれば、裏紙の印刷済み画像に応じて、裏紙転写材を回転させた後に画像形成処理を施すことにより、転写材が加圧ローラーに巻き付くことを防止できる。
【００１３】
また本出願に係わる第二の発明によれば、裏紙の印刷済み画像の余白量に応じて、裏紙転写材を回転させた後に画像形成処理を施すことにより、転写材が加圧ローラーに巻き付くことを防止できる。
【００１４】
また本出願に係わる第三の発明によれば、裏紙の印刷済み画像の余白量が所定の量以下だった場合、画像形成を禁止することにより、転写材が加圧ローラーに巻き付くことを防止できる。
【００１５】
また本出願に係わる第四の発明によれば、裏紙の印刷済み画像の余白量が所定の量以下だった場合、ユーザーに警告を出すことことにより、転写材が加圧ローラーに巻き付くことを防止できる。
【発明を実施するための最良の形態】
【００１６】
以下、本発明に係る定着装置および画像形成装置を図面に則して更に詳しく説明する。
【００１７】
（第一の実施例）
以下、本発明の好適な実施例を、添付図面を参照として説明する。
【００１８】
図１は本実施例の画像形成装置の概略構成模式図である。本実施例の画像形成装置は、転写式電子写真プロセス利用のプリンターまたは複写機であり、画像形成スピードは５００ｍｍ／ｓである。
【００１９】
２は像担持体としての、直径１０８ｍｍのアモルファスシリコン感光ドラムであり、矢印の時計方向に５００ｍｍ／ｓの周速度にて回転駆動される。
【００２０】
（１）作像プロセス
１）帯  電
回転する感光ドラム２面に対してコロナ帯電器１０による＋の所定電位の一様な帯電処理がなされる。
【００２１】
２）露  光
その帯電処理面に対して、画像露光装置１による画像露光がなされて、感光ドラム２面に画像情報の静電潜像が書き込まれる。
【００２２】
画像露光装置１は本例においてはレーザースキャナであり、画像情報の時系列電気デジタル画素信号に対応して強度変調されたレーザー光を出力して感光ドラム２の一様帯電面を走査露光して画像情報の静電潜像を書き込み形成する。静電潜像は感光ドラム１の一様帯電面のレーザー光走査露光部の電位が減衰することで形成される。
【００２３】
３）現  像
次いで、その感光ドラム面に書き込まれた静電潜像が現像装置３によりトナー像として反転現像される。反転現像は感光ドラムの帯電極性と同じ＋の帯電極性のトナーを用い、このトナーを感光ドラムの静電潜像の露光明部に付着させることで静電潜像をトナー像として可視化するものである。
【００２４】
４）転写前帯電
次いで、トナー像は転写前帯電器４によりトナー像の＋電荷極性がさらに強められる。
【００２５】
５）転写前露光
次いで、転写前露光装置５により感光ドラム１の面が全面露光されて感光ドラム１面の画像域の電位が落される（転写前除電）。転写前露光装置５は、本例においてはＬＥＤ素子アレイである。
【００２６】
転写前露光は放電防止や感光ドラム２の安定化を図るという役割もあるが、主目的である転写材分離補助であり、感光ドラム表面の画像域の＋電位を低下させ、転写の際に−に帯電される転写材１４と感光ドラム２の静電吸着力を弱めることで、その役割を果たしている。
【００２７】
ここでは転写前露光装置５のＬＥＤ素子については、波長７００ｎｍであり、感光ドラム２面光量は、現像位置での白地電位４００Ｖの場合、３００Ｖに低下させるのに必要な光量とし、シーケンスは、画像域の転写材先端対応部がポスト露光部到達１００ｍｓｅｃ前にＯＮし、画像域の転写材後端対応部がポスト露光位置を通過した時点でＯＦＦするよう制御されている。
【００２８】
６）転  写
一方、カセット給紙部・手差し給紙部・デッキ給紙部等の不図示の給紙部から記録媒体としての転写材１４が一枚分離給送され、シートパス３０を通して所定の制御タイミングにて、感光ドラム２とコロナ転写帯電器６との間の転写部に導入される。
【００２９】
転写材１４は転写部にてその裏面がコロナ転写帯電器６により−に帯電させられて、感光ドラム１面に静電的に密着して感光ドラム１面側の＋の帯電極性のトナー像が転写材１４の表面側に静電的に転写される。
【００３０】
７）分  離
転写部で感光ドラム１面に静電的に密着してトナー像の転写を受けた転写材１４は、コロナ分離帯電器７により感光ドラム２面よりトナー像とともに分離され、搬送装置１３により定着入り口ガイド１２に案内されて、定着装置１１に導入される。
【００３１】
コロナ分離帯電器７は、２本のコロナ放電ワイヤー２１、２２がシールド板２３によりさえぎられた構成をしており、感光ドラム２の回転方向に対し、上流側を分離第一ワイヤー２１、下流側を分離第二ワイヤー２２としている。分離第一ワイヤー２１の背面側（感光ドラム２方向と反対側）のシールド板には、第一の分離吸引手段としての吸引口２４が設けてある。また分離帯電器７の上部には、感光ドラム２から分離された紙を搬送装置１３に案内する転写材案内部材２６が取り付けられている。
【００３２】
コロナ分離帯電器７の分離吸引手段２４は感光ドラム２からコロナ分離帯電器７により電気的に分離された転写材１４を、吸引口２４を通して瞬時に転写材案内部材２６に引き寄せることで、安定した転写材１４の搬送、及び一度紙に転写されたトナーが過放電によりドラム２に戻ってしまう再転写現象防止の役割を果たしている。
【００３３】
搬送装置１３においては、紙搬送面に第二の分離吸引手段としての吸引口２５が設けてある。この吸引口２５は安定した転写材１４の搬送の役割を果たしている。
【００３４】
８）定  着
定着装置１１は加熱定着装置であり、装置内の定着ローラ１１Ａに内蔵される加熱ヒーター（不図示）の制御により、所定温度に保持されており、転写材１４上の未定着トナー像を、定着ローラ１１Ａと、対をなす加圧ローラ１１Ｂにより、加熱、加圧して転写材１４に永久固着像として定着させている。
【００３５】
定着装置１１によりトナー像を定着された転写材１４がシートパス３４を通って排紙トレイ２０へと排紙される。
【００３６】
９）クリーニング
転写材分離後の感光ドラム２は、クリーニング装置８により表面をクリーニングされ、ドラム除電露光器９の全面露光により帯電状態を解消され（電気的メモリの消去）、再びコロナ帯電器１０により帯電状態となり、繰り返して作像に供される。
【００３７】
（２）本発明に基づく画像形成装置制御
給紙カセット１９より裏紙転写材１４が、画像形成装置のシートパス３１に通紙された後、画像検知センサＳにて印刷済み面の画像が検知される。図3は画像検知の様子の模式図であり、反射型フオトセンサ３７のＬＥＤ３７Ａからの光は裏紙転写材１４の印刷済み面に照射されるが、光の当たる裏紙転写材１４の印刷済み面が白なら光は反射し、一方、黒なら光は吸収されて反射しない。従って印刷済み面が白ならフオトトランジスタ３７Bはオンし、黒ならフオトトランジスタ３７Bはオフする。従って、フオトトランジスタ３７Bがオンの時の白検知信号と、オフの時の黒検知信号の割合から、裏紙転写材１４の印刷済み面の状態、即ち、画像のない余白量を判断することができる。
【００３８】
裏紙転写材１４の印刷済み面が画像検知センサＳにおいて検知された後、転写材回転機構Ａ部において前記検知された印刷済み面の画像の余白が最大だった一辺が先頭になるよう裏紙転写材１４が回転され、前記作像プロセスにおいて画像形成された後、シートパス３４を通って排紙トレイ２０に排出されることを特徴とする。
【００３９】
図４および図５はそれぞれ転写材回転機構Ａ部の斜視図、およびその回転動作を示す説明図である。図４に示すように、転写材回転機構Ａ部はステッピングモーター右５６に回転駆動される回転軸右５８に固定された回転ローラー右４２ａ、回転軸右５８と同軸上で所定距離離間し、ステッピングモーター左５７に回転駆動される回転軸左５９に固定された回転ローラー左４３ａ、回転軸右５８および回転軸左５９に平行な支軸７８に回転自在に取り付けられ、それぞれ回転ローラー右４２ａおよび回転ローラー左４３ａに圧接して連れ回る１対の回転従動ローラー４２ｂ，４３ｂで構成される。
【００４０】
裏紙転写材１４の各辺を９０度ごとに回転した辺をそれぞれ辺Ａ、辺Ｂ、辺Ｃ、辺Ｄとし、辺Ａを先端として画像検知センサＳに通紙された裏紙転写材１４の印刷済みの最大余白が、辺Ａだった場合は、回転ローラー右４２ａおよび回転ローラー左４３ａが同方向に回転するように、それぞれステッピングモーター右５６およびステッピングモーター左５７によって駆動され、回転従動ローラー４２ｂ，４３ｂ間に挟持した裏紙転写材１４を作像プロセスに搬送する。
【００４１】
一方、画像検知センサＳにて検知された印刷済みの最大余白が、辺Ａ以外だった場合は図５に示すように、回転ローラー右４２Ａおよび回転ローラー左４３Ａが逆方向に回転するように、それぞれステッピングモーター右５６およびステッピングモーター左５７によって駆動され、回転従動ローラー４２Ｂ，４３Ｂとの間に挟持した裏紙転写材１４を、最大余白の辺が先頭になるよう９０°単位で回転させる。
【００４２】
裏紙転写材１４が回転し終わると、回転ローラー右４２Ａおよび回転ローラー左４３Ａが同方向に回転し、裏紙転写材１４を作像プロセスに搬送する。
【００４３】
これにより先端余白が十分に確保され、定着装置における加圧ローラーへの巻き付きを防止することができる。
【００４４】
これに対し図２は従来技術の画像形成装置の概略構成を示す断面図であり、従来例は裏紙転写材の印刷済み面の画像に関係なく、作像プロセスへ通紙されるので、先端余白が小さかった場合は加圧ローラーに巻き付く場合がある。
【００４５】
実施例と従来例による加圧ローラ巻付きＪＡＭの発生を比較した結果を表1に示す。
【００４６】
【表１】
2008158129.tif 000003
表１で示すように、従来例に比べ実施例では加圧ローラーに巻き付くことを防止することができた。
【００４７】
すなわち、本実施例においては、余白の大きい辺より作像プロセスに通紙することで、先端余白を確保できるので、加圧ローラに巻き付くことを防止することが可能となった。
【００４８】
（第二の実施例）
次に本発明の第二の実施例を図1及び図６に基づいて説明する。本実施例においても、画像形成装置は図１に示す実施例で説明したものと同一であるが、画像検知センサＳにて検知された最大余白量によって制御される裏紙転写材の通紙方法のみが異なる。
【００４９】
給紙カセット１９より裏紙転写材１４が、画像形成装置のシートパス３１に通紙された後、画像検知センサＳにて検知された印刷済み面の最大余白が3.0ｍｍ以上だった場合は、フラッパ１７の切替えによりシートパス３２へ通紙され、用紙回転機構Ａ部において余白が最大だった辺が先頭になるよう回転され、前記作像プロセスにおいて画像形成された後、シートパス３４を通って排紙トレイ２０に排出される。
【００５０】
画像検知センサＳにおいて検知された印刷済み面の最大余白が、3.0ｍｍ未満だった場合は、第一の実施例と異なる通紙方法に制御される。
【００５１】
図６は、図1で説明した本発明の画像形成装置の操作パネルの一形態を示す模式図である。
【００５２】
操作パネル６１において、６２は液晶タッチパネル、６３は画像形成枚数（コピー枚数）を入力するためのテンキー、６４はスタートボタン、６５はストップボタンである。
【００５３】
画像検知センサＳにおいて検知された印刷済み面の最大余白が、1.0mm以上3.0ｍｍ未満だった場合は、画像検知センサＳにおいて通紙が一時し、液晶タッチパネル６２の６２Ａ部分に「紙詰まりの可能性があります」と警告を表示する。また６２Ｂ「継続」か６２Ｃ「中止」と表示している部分では、どちらかをユーザーの手指で押圧することによって選択できるようになっている。
【００５４】
ユーザーが「継続」を選択した場合は、最大余白が3.0ｍｍ以上だった場合と同様の方法で裏紙転写材１４に画像形成される。
【００５５】
ユーザーが「中止」を選択した場合は、フラッパ１７の切替えによりシートパス３３、３４を通って画像形成されることなく排紙トレイ２０へ排出され、次の裏紙転写材を再給紙して同じプロセスを繰り返す。
【００５６】
さらに画像検知センサＳにおいて検知された印刷済み面の最大余白が、1.0ｍｍ未満だった場合は、フラッパ１７の切替えによりシートパス３３、３４を通って画像形成されることなく排紙トレイ２０へ排出され、次の裏紙転写材を再給紙して同じプロセスを繰り返す。
【００５７】
第１の実施例と同じ方法による結果を表２に示す。
【００５８】
【表２】
2008158129.tif 000004
表２で示すように第二の実施例でも、従来例に比べ加圧ローラーに巻き付くことを防止することができた。
【００５９】
すなわち、本実施例においては、裏紙転写材の最大余白が小さい場合には、警告を表示したり、画像形成を中止して機外に排出することで、裏紙転写材が加圧ローラに巻き付くことを防止することが可能となった。
【図面の簡単な説明】
【００６０】
【図１】本発明の実施例の画像形成装置の概略構成を示す断面図である。
【図２】従来技術の画像形成装置の概略構成を示す断面図である。
【図３】本発明の実施例における画像検知の様子を示す模式図である。
【図４】本発明の実施例における転写材回転機構の斜視図である。
【図５】転写材回転機構の回転動作を示す説明図である。
【図６】本発明の第２の実施例における画像形成装置の操作パネルの一形態を示す模式図である。
【符号の説明】
【００６１】
２  感光ドラム
11  定着装置
11A  定着ローラ
11B  加圧ローラ
14  転写材（裏紙）
37  反射型フォトセンサ
37Ａ  ＬＥＤ
37Ｂ  フォトトランジスタ
42A，43A  回転ローラー（右、左）
42B，43B  回転従動ローラー（右、左）
Ａ  用紙回転機構
Ｓ  画像検知センサ
【図１】
2008158129.tif 000005
【図２】
2008158129.tif 000006
【図３】
2008158129.tif 000007
【図４】
2008158129.tif 000008
【図５】
2008158129.tif 000009
【図６】
2008158129.tif 000010